(57)【要約】【課題】本願発明は、テーブル状の単位部材を連結して貯留空間を構成した雨水貯留施設の底部にグレーチングを必要としないＵ字溝の形成方法の提案にある。【解決手段】貯留空間形成材であるブロックを地下に配列して雨水の貯留区間を形成し、貯留空間の底部及び周囲を遮水性シートで覆い、前記ブロックが平板上に開口する筒部を有し、かつ、槽底部にＵ字溝を設けた雨水等の貯留槽において、Ｕ字溝部を上部に開口部を有する台形の台で置き換えた雨水等の貯留槽である。Ｕ字溝に必要とするグレーチングを外すため、Ｕ字溝底部に開口部を設け、開口部のある底部を上にして使用し、グレーチングをＵ字溝の底部で代用した。【選択図】図1
2010248692.tif 000002
【特許請求の範囲】
【請求項１】
貯留空間形成材であるブロックを地下に配列して雨水の貯留区間を形成し、貯留空間の底部及び周囲を遮水性シートで覆い、前記ブロックが平板上に開口する筒部を有し、かつ、槽底部にＵ字溝を設けた雨水等の貯留槽において、Ｕ字溝部を上部に開口部を有する台形の台で置き換えた雨水等の貯留槽。
【発明の詳細な説明】
【技術分野】
【０００１】
本発明は、ブロックを地下に配列して貯留空間を形成する雨水等の貯留施設の技術に属する。
【背景技術】
【０００２】
雨水の流出抑制を目的として、プラスチックなどで製造されたテーブル状のブロックを地下に配置し、貯留空間を確保して雨水を一時的に貯留する貯留浸透施設が普及している。例えば、特開平10-252108、特開平11-222886、特開平11-165430などに提案かつ使用されている。いずれの方法も部材を配置しその周囲を透水性もしくは遮水性のシート類で包み、その内部空間に雨水を貯蔵する貯留浸透施設とするものである。
雨水の流出抑制を目的とするためには、地下水位が低い場合は透水性のシートで包み、貯留された雨水を徐々に地下に浸透させ、地下水位が高い場合は地下水が内部に入らないように遮水性のシートで包み雨水を貯留した後、徐々に下水あるいは河川に放流することが行われている。
【０００３】
これら雨水の貯留浸透施設は、屋根雨水のみを貯留する場合は雨水中に含まれる砂泥分は極めて少なく、そのまま貯留空間内に堆積しても、その貯留機能を大きく損なうことはない。しかしながら、U字溝を介して流入する雨水を貯留する場合は雨水中に含まれる砂泥分はきわめて大きい。そのまま貯留空間内に堆積させると貯留空間の容積を減少させ、貯留浸透施設の機能を損なう可能性がある。貯留空間に堆積した砂泥分を除去するため槽の底部にＵ字溝を設け、砂泥分をＵ字溝に集め洗浄除去することが一般的に行われている。
【０００４】
しかしながら筒部を有するテーブル状部材を配列して、貯留空間を形成する方法において、テーブル状部材の筒部がＵ字溝の上にくることは避ける必要がある。あるいはＵ字溝の上にグレーチングを施し、テーブル状部材に架かる上からの土圧を受けることが必要である。
【０００５】
しかしながらグレーチングを施すとコスト高となり、施さないと筒部をＵ字孔部分にくることを避ける必要があるため施工が煩雑となる。グレーチングを施さず筒部にかかる土圧を受ける方法が求められている。
【先行技術文献】
【特許文献】
【０００６】
【特許文献１】特開平10-252108
【特許文献２】特開平11-222886
【特許文献３】特開平11-165430
【発明の開示】
【発明が解決しようとする課題】
【０００７】
本願発明は、テーブル状の単位部材を連結して貯留空間を構成した雨水貯留施設の底部にグレーチングを必要としないＵ字溝の形成方法の提案にある。
【課題を解決するための手段】
【０００８】
本発明は、貯留空間形成材であるブロックを地下に配列して雨水の貯留区間を形成し、貯留空間の底部及び周囲を遮水性シートで覆い、前記ブロックが平板上に開口する筒部を有し、かつ、槽底部にＵ字溝を設けた雨水等の貯留槽において、Ｕ字溝部を上部に開口部を有する台形の台で置き換えた雨水等の貯留槽である。Ｕ字溝に必要とするグレーチングを外すため、Ｕ字溝底部に開口部を設け、開口部のある底部を上にして使用し、グレーチングをＵ字溝の底部で代用した。
【発明の効果】
【０００９】
Ｕ字溝を開口部のある底部を上にして使用したため、Ｕ字溝の機能を損なうことなく、かつ、グレーチングを必要としない。
【図面の簡単な説明】
【００１０】
【図１】は、本発明のＵ字溝を有する雨水等の貯留槽の概念図である。
【図２】は、本発明に使用する台形の台の概念図である。
【図３】は、本発明の貯留槽の貯留空間を形成するためのブロックの一例である。
【図４】は、従来のＵ字溝を有する雨水等の貯留槽の概念図である。
【図５】は、従来のＵ字溝を有する雨水等の貯留槽に設けたＵ字溝の上のブロック配列を示す。
【図６】は、本発明のＵ字溝を有する雨水等の貯留槽に設けたＵ字溝の上のブロック配列を示す。
【発明を実施するための形態】
【００１１】
以下、本発明を、図を用いて、より詳細に説明する。
図１は、本発明のＵ字溝を有する雨水等の貯留槽の概念断面図である。図1ａは貯留槽を示し、図１ｂは台形の台を示している。図に示す台は、接合部に切り欠き入れ互いに直線状に接続することで、図２に示すように上部に開口部が設けられ、貯留槽内の砂泥を溝内に導入できるようになっている。
【００１２】
図３は、本発明のＵ字溝を有する雨水等の貯留槽の貯留空間を形成するためのブロックであるテーブル状部材の一例である。このブロックを図5、図６に示すように配列し、図１あるいは図４に示す貯留槽の貯留空間を形成し、貯留空間の少なくとも底部及び側面を遮水シートで覆い、雨水の流出抑制のため雨水を一時的に貯留するものである。あるいは、雨水の有効利用のため貯留するものである。
【００１３】
図５及び図６を比較することで本発明の趣旨が理解できる。図５は従来のＵ字溝の概念図であり、図６は本発明における従来のＵ字溝に代わる台形の台である。
【００１４】
図５の状態ではＵ字溝には、ブロックに掛かる上方の土被りによる荷重を支えるため必ずＵ字溝の蓋に当たるグレーチングが必要となる。
図６は、従来のＵ字溝を逆向きに使用したのと結果としては同等である。すなわち従来のＵ字溝の端部に切り欠きを設けるあるいは底部に開口部を設けることで、従来のＵ字溝と同様、貯留槽内に沈積した砂泥を台形の内部に集めることが可能となる。
【００１５】
本発明によれば、従来のＵ字溝の蓋、グレーチングなしにブロックの荷重を支え且つ貯留槽内の砂泥を集めることができる。
【００１６】
ブロックであるテーブル状部材は、特に限定されないが、水に対する耐性と、必要な強度が得られるものが好ましく、ステンレススチール製あるいは熱可塑性のプラスチックあるいはガラス繊維などで強化されたプラスチック製が使用できる。また台形の台はＵ字溝と同様コンクリート製が使用でき、従来の透水性の機能を付与したＵ字孔を逆向きに使用することができる。
【産業上の利用可能性】
【００１７】
雨水の流出抑制に使用する貯留槽に適用可能である。
【符号の説明】
【００１８】
１  台形部材
２  ブロック
３  Ｕ字溝
３１  開口部
４  従来のＵ字溝
４１  グレーチング
５  貯留槽
【図１】
2010248692.tif 000003
【図２】
2010248692.tif 000004
【図３】
2010248692.tif 000005
【図４】
2010248692.tif 000006
【図５】
2010248692.tif 000007
【図６】
2010248692.tif 000008